(57)【要約】【課題】タッチパネルの操作に対応可能な手袋であって、作業用、運動用等、通常の手袋として用いられるときでも操作部位の消耗・損傷が生ずることがなく、かつ、装着者の指先に違和感を生じさせることがない手袋及びその製造方法を提供すること。【解決手段】本発明の手袋は、親指先端の裏側に形成される導電性素材からなる生地と、親指先端の表側の側部の一方又は両方に形成される導電性素材からなる操作部と、を備え、前記生地及び前記操作部が電気的に接続している。【選択図】図１
2017160582.tif 000002
【特許請求の範囲】
【請求項１】
指部の先端側部に導電性素材が設けられている手袋。
【請求項２】
前記先端側部は、親指部の人差指部側の側部とその逆側の側部との一方に又は双方である、請求項１記載の手袋。
【請求項３】
前記先端側部は、人差指部の先端側部、薬指部の先端側部、小指部の先端側部である、請求項１記載の手袋。
【請求項４】
前記導電性素材は、手袋本体に対して縫い付け又は接着剤によって取り付けられている、請求項１記載の手袋。
【請求項５】
前記導電性素材は、親指部の人差指部側の側部から始まりその逆側の側部まで延びている、請求項１記載の手袋。
【発明の詳細な説明】
【技術分野】
【０００１】
本発明は、手袋に関し、特に、静電容量式タッチパネルの操作に対応可能な手袋に関する。
【背景技術】
【０００２】
特許文献１には、安価に製造でき、かつ優れた操作性を実現する静電容量式タッチパネル操作用の手袋を提供することを目的として、手に装着される柔軟な手袋本体のうちの親指部、人差指部及び中指部の先端側部分に、導電性を有する糸で編成された導電性繊維部を備え、かつ、導電性繊維部の手の平部側の外面に、導電性を有する樹脂材料で形成された導電部である導電性突起部を備え、導電性繊維部と導電性突起部とが互いに導通している手袋が開示されている。
【先行技術文献】
【特許文献】
【０００３】
【特許文献１】特開２０１２−２１４９４６号公報
【発明の開示】
【発明が解決しようとする課題】
【０００４】
しかし、特許文献１の導電性突起部は掌側の指先面に設けられているため、作業用、運動用等、通常の手袋として用いられるときは、この部位が対象物を掴むことによって、また、対象物と接することによって、この部位の消耗・損傷が生ずる可能性があり、消耗等がなくとも邪魔になる可能性もある。
【０００５】
そこで、本発明は、タッチパネルの操作に対応可能な手袋であって、作業用、運動用等、通常の手袋として用いられるときでも操作部位の消耗・損傷が生ずることがなく、かつ、装着者の指先に違和感を生じさせることのない手袋及びその製造方法を提供することを課題とする。
【課題を解決するための手段】
【０００６】
上記課題を解決するために、本発明の手袋は、指部の先端側部に導電性素材が設けられている。前記先端側部は、親指部の人差指部側の側部とその逆側の側部との一方に又は双方とすることができ、また、人差指部の先端側部、薬指部の先端側部、小指部の先端側部とすることもできる。導電性素材は、手袋本体に対して縫い付け又は接着剤によって取り付ければよい。さらに、導電性素材が親指部の人差指部側の側部から始まりその逆側の側部まで延びていると、手袋の製造時の操作性、手袋の装着者と導電性素材との接触面積の確保の観点から好ましい。
【０００７】
【図面の簡単な説明】
【０００８】
【図１】本発明の実施形態１のタッチパネルの操作に対応可能な手袋１００を甲側から見た斜視図である。
【図２】図１に示す手袋本体部１０及び親指部２０の分解図である。
【図３】図１に示す手袋１００の製造方法の主要工程を示す説明図である。
【図４】本発明の実施形態２のタッチパネルの操作に対応可能な手袋１００の甲側から見た斜視図である。
【図５】図２（ａ）に示す甲側親指片２１等の変形例を示す図である。
【図６】本発明の実施形態３の手袋１００の製造方法の主要工程を示す説明図である。
【発明を実施するための形態】
【０００９】
以下、本発明の実施形態について図面を参照して説明する。なお、各図において、同様の部分には、同一符号を付している。
【００１０】
（実施形態１）
図１は、本発明の実施形態１のタッチパネルの操作に対応可能な手袋１００を甲側から見た斜視図である。本実施形態の手袋１００は、その装着者がスマートフォンの持ち手の親指を通じてタッチパネルに対するタップ、フリック、スワイプなどの操作する場合に好適なものである。
【００１１】
なお、図１には、右手用の手袋１００を示しているが、左手用のものも同様の構成とすることができるし、例えば、右利き用の手袋１００では、左手用のものには以下の操作部４０を形成しないなど別の構成としてもよい。また、ここでは、手型タイプのものを例に説明するが、ガンカット型タイプの手袋１００にも、本発明を適用することができる。
【００１２】
図１に示す手袋１００は、手袋本体部１０と、手袋本体部１０の一部を構成する又はこれに隣接する親指部２０と、装着時に装着者の手首付近に位置する引締め帯体部３０と、親指部２０の先端部の側部であって人差指部側に位置していてタッチパネルの操作に用いる操作部４０とに大別される。手袋本体部１０は、手袋本体部１０の甲側と掌側とを連結する襠片１９と、引締め帯体部３０を構成する掛止めベルト３１及びベルベット式ファスナー３２とを備える。
【００１３】
手袋本体部１０、襠片１９、親指部２０及び引締め帯体部３０の素材は、これらに限定されるものではないが、綿・ウール・ポリエステル・ナイロン・アクリル繊維等の布、毛糸、フェルト、牛・羊等の革又は人造皮革、ナイロン・ポリエチレン・塩化ビニル・ニトリルゴム等の各種人工ゴム又は天然ゴム、耐熱手袋にはアラミド繊維・シリコン樹脂とすることができる。
【００１４】
操作部４０は、導電性素材から構成されており、これらに限定されるものではないが、合成繊維の中に導電性のよい銀等の金属又は黒鉛を均一に分散させたもの、ステンレス鋼のような金属を繊維化した金属繊維、有機物繊維の表面を金属で被覆したもの、有機物繊維の表面を導電性物質を含む樹脂で被覆したものとすることができる。
【００１５】
操作部４０は、長手方向の長さが１０ｍｍ〜２０ｍｍ程度、短手方向が１ｍｍ〜２ｍｍ程度の細長い突起状としているが、これらよりも長くても短くてもよい。また、後述するように、操作部４０の位置は、図１に示すものに限定されない。
【００１６】
図２（ａ）及び図２（ｂ）は、図１に示す手袋本体部１０及び親指部２０の分解図である。図２（ａ）は手袋１００の甲側から見た図であり、図２（ｂ）は手袋１００の掌側から見た図である。図２（ａ）及び図２（ｂ）に示すように、手袋本体部１０の主要構成は、甲側本体片１１と掌側本体片１５とに大別される。
【００１７】
図２（ａ）に示すように、甲側本体片１１は、親指部２０を構成する甲側親指片２１が縫い付けられる甲片１３と、甲片１３に隣接する甲側指部１２とを有する。図２（ｂ）に示すように、掌側本体片１５は、親指部２０を構成する掌側親指片１８が縫い付けられる掌片１７と、掌片１７に隣接する掌側指部１６とを有する。
【００１８】
甲側本体片１１及び掌側本体片１５は、それぞれ、１．０ｍｍ〜４．０ｍｍ程度、好ましくは、１．２ｍｍ〜３．０ｍｍ程度とすればよいが、これよりも薄くしてもよいし、厚くしてもよい。このような手袋１００の各パーツの厚みは、手袋１００の用途に応じて適宜選択することができる。例えば、作業用手袋の場合には相対的に厚くし、運動用（例えばゴルフ用）手袋の場合には相対的に薄くすることができる。
【００１９】
甲側親指片２１は、略Ｌ字状をしており、掌側親指片１８と縫い合わせられる。甲側親指片２１の素材及び厚さは、甲側本体片１１と同一又は同様とすることもできるし、別のものとすることもできる。
【００２０】
甲側親指片２１の先端部には、最終的に操作部４０となる導電性素材片４１が縫い付けられる。また、導電性素材片４１は、甲側親指片２１の延在方向に対する直交方向に突出する略矩形の舌片４２を有する形状とされている。導電性素材片４１は、０．５ｍｍ〜２．０ｍｍ程度、好ましくは、０．７ｍｍ〜１．２ｍｍ程度の厚さとすればよいが、これより薄くしてもよいし、厚くしてもよい。
【００２１】
掌側親指片１８は、装着者の親指の先端から第１関節付近までに対応するする形状としており、甲側親指片２１の先端部と縫い合わせられる。掌側親指片１８の素材及び厚さは、掌側本体片１５と同一又は同様とすることもできるし、別のものとすることもできる。
【００２２】
図３は、図１に示す手袋１００の製造方法の主要工程を示す説明図である。以下、図３（ａ）〜図３（ｆ）に沿って、操作部４０を有する手袋の製造方法を説明する。
【００２３】
図３（ａ）には、甲側親指片２１を、装着者の手に触れる側から見た状態を示している。甲側親指片２１の図３（ａ）の上下方向に延びる基端側の部位が、手袋１００の装着者の母子球に対応しており、その上側のやや横向き右方向に延びる先端側の部位が装着者の親指に対応している。
【００２４】
図３（ｂ）には、甲側親指片２１の先端部に導電性素材片４１を縫い付けた状態を示している。舌片４２は、図３（ｂ）の上側に向けて突出している。こうすると、手袋１００が完成した場合に、舌片４２の位置は、装着者の親指の先端側部であって、人差指側の位置となる。換言すると、図３（ｂ）に示す舌片４２の場合は、図１に示す操作部４０に対応する部位である。
【００２５】
手袋１００が大人向けのものである場合には、概ね舌片４２の大きさは、長手方向が１０ｍｍ〜２０ｍｍ程度、短手方向がこの２／３程度の長さとなるようにするとよい。なお、本実施形態では、導電性素材片４１を甲側親指片２１に縫い付けることによって取り付けているが、操作部４０を接着剤等、他の方法を用いて甲側親指片２１に取り付けてもよい。
【００２６】
縫い付けの場合であれば、甲側親指片２１から取れにくいという利点がある。接着剤等を用いる場合であっても、当該取付部分は、甲側親指片２１の腹部分とは異なり、作業をする際にも対象物に接しにくいため相対的には取れにくいにも拘わらず、図３（ｂ）及び図３（ｃ）に示す縫製工程が省けるという利点がある。
【００２７】
図３（ｃ）には、舌片４２を、その短手方向のほぼ中間位置で、その長手方向に沿って図３（ｃ）の奥側に向けて折った状態を示している。こうして、舌片４２の厚みを稼ぐことで、舌片４２に硬度を持たせて、スマートフォンのディスプレイの操作性を向上させるようにしている。
【００２８】
もっとも、舌片４２は、硬度が十分な素材、厚さのものを用意すれば、当初より、図３（ｃ）に示す折り曲げ後の長さとなるサイズのものとして折り曲げ工程を省くこともできるし、逆に、強度の低い素材、薄いものを用意した場合には、三重以上に折り曲げてもよい。
【００２９】
図３（ｄ）には、舌片４２を、その短手方向のほぼ下部位置で、その長手方向に沿って図３（ｄ）の手前側に向けて折った状態を示している。この状態で、甲側親指片２１と掌側親指片１８とを位置合わせして相互に縫い合わせて、親指部２０を完成させる。
【００３０】
図３（ｅ）には、図３（ｄ）に示す親指部２０が完成した状態を示している。図３（ｅ）に示すように、舌片４２の短手方向のほぼ中央部分を通る態様で縫い目が位置して操作部４０が形成される。このように、親指部２０は、舌片４２と掌側親指片１８と甲側親指片２１とが、一体化されることによって完成する。
【００３１】
図３（ｆ）には、図１に示す手袋１００の親指部２０付近の拡大図を示している。手袋１００は、甲側本体片１１と掌側本体片１５とを相互に襠片１９を介して縫い合わせて、かつ、これらに引締め帯体部３０を取り付けたものに、図３（ｅ）に示す親指部２０を裏返したものを位置合わせしてから、相互に縫い合わせている。こうすると、親指部２０の先端側部には、操作部４０が露出することになる。
【００３２】
（実施形態２）
図４は、本発明の実施形態２のタッチパネルの操作に対応可能な手袋１００の甲側から見た斜視図である。本実施形態の手袋１００は、装着者がスマートフォンの持ち手の親指でタッチパネルを操作するのみならず、その逆側の手で操作する場合にも好適なものである。
【００３３】
なお、図４には、右手用の手袋１００を示しているが、左手用のものも同様の構成とすることができるし、例えば、右利き用の手袋１００では、以下の操作部４０を形成しないなど別の構成としてもよい。
【００３４】
図４に示す手袋１００を製造するためには、舌片４２の位置を、図３（ｂ）で示したように甲側親指片２１に対して図面上側に向けて突出するのみならず、図３（ｂ）の下側に向けても突出するタイプのものにすればよい。こうすると、手袋１００が完成した場合に、舌片４２の位置は、親指部２０の先端側部であって、人差指とは逆側の位置にも操作部４０’が形成されることになる。
【００３５】
もっとも、実施形態１，２の手袋１００の変形例として、操作部４０は有さないものの、操作部４０’を有するタイプの手袋１００とすることもできる。加えて、スマートフォンのタッチパネルに対するピンチイン、ピンチアウトといった操作をするために、例えば、人差指部の先端側部の中指部側或いはその逆側、又は、中指部の先端側部の薬指側或いはその逆側にも、既述の手法と同様の手法で、操作部を設けるようにすることもできる。
【００３６】
また、図１，図４に示すタイプの操作部４０等に代えて、又は、これとともに、例えば、甲側指部１２における指関節に対応する位置に操作部を形成してもよい。この場合には、操作部４００の形成位置を開口し、装着者の手に触れる位置に導電性素材を通し、接着剤などを用いて封止することで操作部４００の貼り付けを行うとよい。
【００３７】
以上をまとめると、操作部４０を形成する位置は、親指部２０を含めた各指部のうち、１指部以上の先端側部としてもよく、さらに、操作部４０の形成位置は、１指部について先端側部の１か所に限定されず、先端両側部の２か所としてもよいし、さらに、甲側指部１２における指関節に対応する位置としてもよい。
【００３８】
なお、図２（ａ）では一例として、甲側本体片１１と甲側親指片２１とを分離しているものを示しているが、これは操作部４０を形成する際の作業性の問題によるものであり、これらを分離せずに甲側本体片１１と甲側親指片２１とを一体化してもよい。同様に、掌側本体片１５と掌側親指片１８とを一体化してもよい。
【００３９】
また、手袋本体部１０は、図２に示すような一層構成であっても、例えば外側手袋部材と内側手袋部材という二層構成であってもよい。二層構成の場合は、装着者の手に直接接する内側手袋部材における指先部に導電性素材からなる舌片付き生地を縫い付け、つぎに、内側手袋部材に外側手袋部材を重ねた状態で、舌片を外側手袋部材の生地表側に折り曲げた状態で手袋を縫い合わせることにより、外側手袋部材の指先端の表側側部に操作部を形成することができる。
【００４０】
図５は、図２（ａ）に示す甲側親指片２１等の変形例を示す図である。甲側親指片２１の形状は、既述のＬ字状のものに限定されるものではないが、幾つか例示しておく。なお、図２（ａ）に示す甲側親指片２１等との対応部位の理解容易のため、導電性素材片４１及び舌片４２も示しておく。
【００４１】
図５（ａ）には、図２（ａ）に示す甲側親指片２１の形状を若干変更したものを示している。この甲側親指片２１は、立指タイプの手袋１００を作成する際に用いられるものであり、図２（ａ）に示すものと同様に広く用いられている。
【００４２】
図５（ｂ）には、主として、図２（ａ）に示す甲側親指片２１と図２（ｂ）に示す掌側親指片１８とを機能的に一体化したものを示している。この甲側親指片２１は、たとえばゴルフ用手袋のようにフィット感が要求されるものに適した、丸指タイプのものである。
【００４３】
図５（ｃ）には、図５（ｂ）を２枚に分けた甲側親指片２１を示している。この甲側親指片２１は、フィット感が要求される場合であって、たとえば手の甲側と掌側との素材を異なるものとする場合に、好適に用いることができる。
【００４４】
図５（ａ）〜図５（ｃ）に、導電性素材片４１及び舌片４２も示しているように、どのようなタイプの甲側親指片２１であっても、既述の製造工程等によって操作部４０を設けることができる。また、導電性素材片４１等は、甲側親指片２１ではなく、掌側親指片１８に取り付けてもよい。
【００４５】
上述のように、本実施形態の手袋１００は、タッチパネルの操作に対応可能であり、作業用、運動用等、通常の手袋として使用しても、操作部４０の消耗・損傷が生ずることがなく、かつ、手袋の装着時に指先に違和感を生じさせることがないという有利な効果を有する。
【００４６】
（実施形態３）
図６は、本発明の実施形態３の手袋１００の製造方法の主要工程を示す説明図である。本実施形態では、導電性素材片４１を用いることなく、また、簡易に、舌片４２を甲側親指片２１に取り付ける手法について説明する。
【００４７】
図６（ａ）には、甲側親指片２１を、装着者の手に触れる側から見た状態を示している。甲側親指片２１の図６（ａ）の上下方向に延びる基端側の部位が、手袋１００の装着者の母子球に対応しており、その上側のやや横向きに延びる先端側の部位が装着者の親指に対応している。
【００４８】
図６（ｂ）には、甲側親指片２１のほかに、例えば、一辺の長さが１５ｍｍ〜２０ｍｍの正方形又は長方形の舌片４２を示している。舌片４２は、これを真ん中付近で半分に折る。もっとも、舌片４２は、上記サイズの半分のサイズとして、折ることなく用いることもできる。しかし、折って用いる方が、装着者の指と舌片４２との接触機会が増えるので、スマートフォンの画面操作の確実性が向上する。
【００４９】
図６（ｃ）には、折り曲げた舌片４２を、その折り曲げ部分を図面下側に向けて、甲側親指片２１の人差指部側となる位置にセットする。この状態で、甲側親指片２１と掌側親指片１８とを位置合わせして相互に縫い合わせて、親指部２０を完成させる。縫い合わせの際には、舌片４２の図面下端部分が、甲側親指片２１及び掌側親指片１８と舌片４２との縫い目よりも数ｍｍ程度下側となるようにする。
【００５０】
図６（ｄ）には、図６（ｃ）に示す親指部２０が完成した状態を示している。図６（ｅ）に示すように、舌片４２の短手方向のほぼ中央部分を通る態様で縫い目が形成される。このように、親指部２０は、舌片４２と掌側親指片１８と甲側親指片２１とが、一体化されることによって完成する。これにより、手袋１００の完成品は、舌片４２の基端が数ｍｍだけ露出して操作部４０を形成し、また舌片４２の両先端は装着者の指に接することになる。
【００５１】
図６（ｅ）には、図１に示す手袋１００の親指部２０付近の拡大図を示している。手袋１００は、甲側本体片１１と掌側本体片１５とを相互に襠片１９を介して縫い合わせて、かつ、これらに引締め帯体部３０を取り付けたものに、図６（ｄ）に示す親指部２０を裏返したものを位置合わせしてから、相互に縫い合わせている。こうすると、親指部２０の先端側部には、操作部４０が露出することになる。
【００５２】
（実施形態４）
図７は、本発明の実施形態４の手袋本体部１０を分解した場合の甲側本体片１１側を示す図であり、図２（ａ）に対応するものである。図７に示す甲側本体片１１側は、図２（ａ）に示したものに比して、甲側親指片２１の先端部に位置する導電性素材片４１に、舌片４２とは異なる大きさの舌片４２’が縫い付けられている点である。
【００５３】
ここでは、具体的に、導電性素材片４１をその延在方向に直交する方向で、導電性素材片４１の両端を超える位置となる大きさの舌片４２’を設けている。すなわち、導電性部材片４１は、親指部の人差指部側の側部から始まりその逆側の側部まで延びている。
【００５４】
相対的に大きな舌片４２’を縫い付けることは、当該縫い付け作業の操作性の向上につながる。また、相対的に大きな舌片４２’を縫い付けると、手袋１００の装着者の指と舌片４２’との接触面積が増えることで、接触不良によりタッチパネルの操作がなされないという状況を回避することが可能となる。
【００５５】
なお、図７に示す例の甲側本体片１１側を用いると、図３に示すような製造工程を経ることによって、最終的に、外観上は図４に示す態様の手袋１００が完成することになる。すなわち、手袋１００の親指部２０には、操作部４０及び操作部４０’が形成されることになる。もっとも、本実施形態の手袋１００は、装着者の指と舌片４２’との接触面積を増やすことを目的としており、したがって、舌片４２’を導電性素材片４１の両端を超えるほどの大きさとすることは必須ではない。図１に示すように操作部４０のみで良い場合には、図７に示す大きさ（長さ）の例えば１／３〜１／２程度とするだけでも十分である。
【００５６】
図８は、図７の変形例を示す図である。図４に示す態様の手袋１００を完成させるためには、舌片４２’の縫い付け先は、導電性素材片４１ではなく、これに代えて、掌側親指片１８とすることもできる。図８に示す掌側親指片１８を用いる場合、導電性素材片４１については舌片４４’を設ける必要はない。
【００５７】
すなわち、図８には、掌側親指片１８に対して、舌片４４’を縫い付ける例を示している。この場合にも、図３に示すような製造工程を経ることによって、最終的に、外観上は図４に示す態様の手袋１００が完成することになる。すなわち、手袋１００の親指部２０には、操作部４０及び操作部４０’が形成されることになる。
【００５８】
図９は、図８の変形例を示す図であり、図５に示す甲側親指片２１等に代えて用いることができるものである。図９には、既述の部分に加えて、掌側本体片１５と一体的に形成されている人差指部１６ａ及び小指部１６ｄと、人差指部１６ａと小指部１６ｄとの間に縫い付ける相互に一体化された中指部１６ｂ及び薬指部１６ｃとを示している。
【００５９】
図９に示す掌側本体片１５等を用いると、図５に示した甲側親指片２１等を用いた場合と同様に、たとえばゴルフ用手袋のようにフィット感が要求されるものに適した、丸指タイプの手袋１００を製造することができる。なお、図９に示す掌側親指片１８を用いる場合にも、導電性素材片４１については舌片４４’を設ける必要はない。
【００６０】
本発明の各実施形態では、手袋１００の葬祭対象であるタッチパネルの例として、スマートフォンのディスプレイを示したが、タッチパネルはこれに限定されるものではない。例えば、近年、駅で見かける乗車券発売機の画面など、各種タッチパネルの操作に対しても、各実施形態の手袋１００は好適に用いることができる。
【符号の説明】
【００６１】
１０  手袋本体部
１１  甲側本体片
１２  甲側指部
１３  甲片
１５  掌側本体片
１６  掌側指部
１８  掌側親指片
１７  掌片
１９  襠片
２０  親指部
２１  親指片
３０  引締め帯体部
３１  掛け止めベルト
３２  ベルベット式ファスナー
４０  操作部
４１  導電性素材片
４２  舌片
１００  手袋
【図１】
2017160582.tif 000003
【図２】
2017160582.tif 000004
【図３】
2017160582.tif 000005
【図４】
2017160582.tif 000006
【図５】
2017160582.tif 000007
【図６】
2017160582.tif 000008
【図７】
2017160582.tif 000009
【図８】
2017160582.tif 000010
【図９】
2017160582.tif 000011
【手続補正書】
【提出日】平成28年12月27日(2016.12.27)
【手続補正１】
【補正対象書類名】明細書
【補正対象項目名】０００８
【補正方法】変更
【補正の内容】
【０００８】
【図１】本発明の実施形態１のタッチパネルの操作に対応可能な手袋１００を甲側から見た斜視図である。
【図２】図１に示す手袋本体部１０及び親指部２０の分解図である。
【図３】図１に示す手袋１００の製造方法の主要工程を示す説明図である。
【図４】本発明の実施形態２のタッチパネルの操作に対応可能な手袋１００の甲側から見た斜視図である。
【図５】図２（ａ）に示す甲側親指片２１等の変形例を示す図である。
【図６】本発明の実施形態３の手袋１００の製造方法の主要工程を示す説明図である。
【図７】本発明の実施形態４の手袋本体部１０を分解した場合の甲側本体片１１側を示す図であり、図２（ａ）に対応するものである。
【図８】図７の変形例を示す図である。
【図９】図８の変形例を示す図であり、図５に示す甲側親指片２１等に代えて用いることができるものである。